(57)【要約】【課題】  本発明は、電子機器の使用状況に応じた適切な音量レベルに制御し得るようにする。【解決手段】  本発明は、クレイドル３に装着可能な携帯型ディスク装置２に、当該クレイドル３に対する装着状態又は非装着状態を検出する制御部５０及びプルアップ抵抗５６に接続された接続検出ラインＤＥＴと、当該携帯型ディスク装置２が非装着状態であることを検出したときには、当該携帯型ディスク装置２から専用ヘッドホン１５へ出力すべき音声を所定のヘッドホン音量値ＶＨに基づいた音量レベルに設定し、装着状態であることを検出したときには、当該クレイドル３を介してスピーカ４Ｌ及び４Ｒから出力すべき音声をヘッドホン音量値ＶＨに基づいた音量レベルから当該ヘッドホン音量値ＶＨよりも大きいライン音量値ＶＬに基づいた音量レベルに切り換えるよう制御する制御部５０及びＤＳＰ５３とを設けるようにした。【選択図】        図４
2006067484.tif 000002
【特許請求の範囲】
【請求項１】
クレイドルに装着可能な電子機器であって、
上記クレイドルに対する装着状態又は非装着状態を検出する検出手段と、
上記電子機器が上記クレイドルに対して非装着状態であることを検出したときには、当該電子機器から出力すべき音声を所定の第１音量レベルに設定し、上記クレイドルに対して装着状態であることを検出したときには、上記クレイドルから出力すべき音声を上記第１音量レベルから当該第１音量レベルよりも大きい所定の第２音量レベルに切り換えるよう制御する制御手段と
を具えることを特徴とする電子機器。
【請求項２】
上記検出手段は、
上記クレイドルとの装着状態又は非装着状態を検出する検出端子の電位が所定の閾値以上となることにより上記非装着状態を検出し、当該検出端子の電位が上記閾値未満となることにより上記装着状態を検出する、若しくは上記検出端子の電位が上記閾値未満となることにより上記非装着状態を検出し、当該検出端子の電位が上記閾値以上となることにより上記装着状態を検出する
ことを特徴とする請求項１に記載の電子機器。
【請求項３】
上記電子機器は、
ユーザにより手動で変更されたユーザ音量レベルを記憶する記憶手段と
を具え、
上記制御手段は、
上記非装着状態であることを検出したときには、上記電子機器から出力すべき音声を上記ユーザ音量レベルに設定し、上記装着状態から上記非装着状態に遷移したことを検出したときには、上記電子機器から出力すべき音声を上記第２音量レベルから上記ユーザ音量レベルに切り換える
ことを特徴とする請求項１に記載の電子機器。
【請求項４】
上記電子機器は、上記音声を出力する音声出力端子を具え、
上記音声出力端子は、上記電子機器が上記クレイドルに装着された際に、上記音声出力端子からの音声出力が制限される
ことを特徴とする請求項１に記載の電子機器。
【請求項５】
上記第１音量レベルは、ヘッドホンを通じて出力すべき音量レベルであり、
上記第２音量レベルは、上記クレイドルを介しスピーカを通じて出力すべき音量レベルである
ことを特徴とする請求項１に記載の電子機器。
【請求項６】
クレイドルに装着可能な電子機器の音量レベル制御方法であって、
上記クレイドルに対する装着状態又は非装着状態を検出する検出ステップと、
上記電子機器が上記クレイドルに対して非装着状態であることを検出したときには、当該電子機器から出力すべき音声を所定の第１音量レベルに設定し、上記クレイドルに対して装着状態であることを検出したときには、上記クレイドルから出力すべき音声を上記第１音量レベルから当該第１音量レベルよりも大きい所定の第２音量レベルに切り換えるよう制御する制御ステップと
を具えることを特徴とする音量レベル制御方法。
【請求項７】
電子機器と、当該電子機器を装着可能なクレイドルとを有する電子機器システムであって、
上記電子機器は、
上記クレイドルに対する装着状態又は非装着状態を検出する検出手段と、
上記電子機器が上記クレイドルに対して非装着状態であることを検出したときには、当該電子機器から出力すべき音声を所定の第１音量レベルに設定し、上記クレイドルに対して装着状態であることを検出したときには、上記クレイドルから出力すべき音声を上記第１音量レベルから当該第１音量レベルよりも大きい所定の第２音量レベルに切り換えるよう制御する制御手段と
を具えることを特徴とする電子機器システム。
【発明の詳細な説明】
【技術分野】
【０００１】
本発明は電子機器及び音量レベル制御方法に関し、例えばミニディスク（登録商標）等の光磁気ディスクを用いて楽曲の記録又は再生を行う携帯型ディスク装置に適用して好適なものである。
【背景技術】
【０００２】
従来、携帯型ディスク装置においては、ユーザが容易に携帯し得るよう小型軽量に構成されており、ミニディスク（登録商標）のディスクカートリッジから楽曲を読み出して再生し、ユーザの好みの音量レベルに調整しヘッドホンを介して当該ユーザに当該楽曲を聴取させるようになされている。
【０００３】
この携帯型ディスク装置のなかには、専用のクレイドルに装着され得るように構成されたものがあり、当該クレイドルに装着されるだけで当該クレイドルと電気的に接続され、再生した楽曲の音声を当該クレイドルに搭載したスピーカから出力し得るようになされたものが提案されている（例えば、特許文献１参照）。
【０００４】
また、かかる構成の携帯型ディスク装置においては、クレイドルに装着された際には、ヘッドホン使用時と同様に携帯型ディスク装置の音量調整ボタンを操作させることによって、スピーカから出力する音声の音量レベルを調整させるようになされている。
【特許文献１】特開平５−１５３０３５号公報（第３頁、第１図）
【発明の開示】
【発明が解決しようとする課題】
【０００５】
ところで一般的に、振動板が比較的小さいヘッドホンには比較的小さい音量レベルの音声信号を供給し、一方振動板が比較的大きいスピーカには比較的大きい音量レベルの音声信号を供給することによって、それぞれ適切な音量レベルの音声を出力することができる。
【０００６】
従って携帯型ディスク装置は、クレイドルに装着された場合、当該クレイドルのスピーカから適切な音量レベルの音声を出力するため音量レベルを比較的大きくする必要があり、また当該クレイドルに装着されていない場合、ヘッドホンから適切な音量レベルの音声を出力するために音量レベルを比較的小さくする必要がある。
【０００７】
このため携帯型ディスク装置は、クレイドルに装着される度、及び当該クレイドルから取り外される度に音量レベルをユーザに調整させる必要があり、毎回ユーザに煩雑な操作を強いることになるという問題があった。
【０００８】
本発明は以上の点を考慮してなされたもので、電子機器の使用状況に応じた適切な音量レベルに制御し得る電子機器及び音量レベル制御方法を提案しようとするものである。
【課題を解決するための手段】
【０００９】
かかる課題を解決するため本発明の電子機器においては、クレイドルに装着可能な電子機器であって、クレイドルに対する装着状態又は非装着状態を検出する検出手段と、電子機器がクレイドルに対して非装着状態であることを検出したときには、当該電子機器から出力すべき音声を所定の第１音量レベルに設定し、クレイドルに対して装着状態であることを検出したときには、クレイドルから出力すべき音声を第１音量レベルから当該第１音量レベルよりも大きい所定の第２音量レベルに切り換えるよう制御する制御手段とを設けるようにした。
【００１０】
これにより、電子機器が非装着状態である場合には第１音量レベルの音声を当該電子機器から出力し、また当該電子機器が非装着状態から装着状態へ遷移した場合には第１音量レベルから第２音量レベルに自動的に切り換え、さらに当該電子機器が装着状態から非装着状態へ遷移した場合には第２音量レベルから第１音量レベルに自動的に切り換えることができる。
【００１１】
また本発明の音量レベル制御方法においては、クレイドルに装着可能な電子機器の音量レベル制御方法であって、クレイドルに対する装着状態又は非装着状態を検出する検出ステップと、電子機器が上記クレイドルに対して非装着状態であることを検出したときには、当該電子機器から出力すべき音声を所定の第１音量レベルに設定し、クレイドルに対して装着状態であることを検出したときには、クレイドルから出力すべき音声を第１音量レベルから当該第１音量レベルよりも大きい所定の第２音量レベルに切り換えるよう制御する制御ステップとを設けるようにした。
【００１２】
これにより、電子機器が非装着状態である場合には第１音量レベルの音声を当該電子機器から出力し、また当該電子機器が非装着状態から装着状態へ遷移した場合には第１音量レベルから第２音量レベルに自動的に切り換え、さらに当該電子機器が装着状態から非装着状態へ遷移した場合には第２音量レベルから第１音量レベルに自動的に切り換えることができる。
【００１３】
さらに本発明の電子機器システムにおいては、電子機器と、当該電子機器を装着可能なクレイドルとを有する電子機器システムであって、当該電子機器は、クレイドルに対する装着状態又は非装着状態を検出する検出手段と、電子機器がクレイドルに対して非装着状態であることを検出したときには、当該電子機器から出力すべき音声を所定の第１音量レベルに設定し、クレイドルに対して装着状態であることを検出したときには、クレイドルから出力すべき音声を第１音量レベルから当該第１音量レベルよりも大きい所定の第２音量レベルに切り換えるよう制御する制御手段とを設けるようにした。
【００１４】
これにより、電子機器が非装着状態である場合には第１音量レベルの音声を当該電子機器から出力し、また当該電子機器が非装着状態から装着状態へ遷移した場合には第１音量レベルから第２音量レベルに自動的に切り換え、さらに当該電子機器が装着状態から非装着状態へ遷移した場合には第２音量レベルから第１音量レベルに自動的に切り換えることができる。
【発明の効果】
【００１５】
本発明によれば、電子機器が非装着状態である場合には第１音量レベルの音声を当該電子機器から出力し、また当該電子機器が非装着状態から装着状態へ遷移した場合には第１音量レベルから第２音量レベルに自動的に切り換え、さらに当該電子機器が装着状態から非装着状態へ遷移した場合には第２音量レベルから第１音量レベルに自動的に切り換えることができ、かくして電子機器の使用状況に応じた適切な音量レベルに制御し得る電子機器及び音量レベル制御手段を実現できる。
【発明を実施するための最良の形態】
【００１６】
以下、図面について、本発明の一実施の形態を詳述する。
【００１７】
（１）携帯型ディスク装置システムの構成
図１において、１は全体として本発明による携帯型ディスク装置システムの全体構成を示し、ミニディスク（登録商標）に対応した携帯型ディスク装置２をクレイドル３に装着し得るようになされている。
【００１８】
携帯型ディスク装置２は、ミニディスク（登録商標）のディスクカートリッジ（図示せず）が装填されることにより、当該ディスクカートリッジに記録された楽曲を再生し得ると共に、Ｎｅｔ  ＭＤ（登録商標、詳しくは後述する）方式で当該ディスクカートリッジに新たに楽曲を記録し得るようになされており、さらにユーザに容易に携帯されるべく小型軽量に構成されている。
【００１９】
クレイドル３は、本体部３Ａから突出した装着部３Ｂに携帯型ディスク装置２を装着し得るようになされており、当該携帯型ディスク装置２が装着された場合に、当該携帯型ディスク装置２に内蔵する充電池を充電し得る他、当該装着部３Ｂに設けられた操作ボタン群２０を介した操作に応じて、当該携帯型ディスク装置２に楽曲を再生させ、その音声をスピーカ４Ｌ及び４Ｒを介して出力し得るようになされている（詳しくは後述する）。
【００２０】
なお携帯型ディスク装置システム１においては、ユーザがクレイドル３の操作ボタン群２０を操作するべく対峙すると共に携帯型ディスク装置２の正面２Ａと対峙した時に左方向及び右方向を定義し、さらに当該クレイドル３に携帯型ディスク装置２を装着する方向を下方向、当該クレイドル３から当該携帯型ディスク装置２を取り外す方向を上方向として定義した上で以下説明する。
【００２１】
（１−１）携帯型ディスク装置の構成
携帯型ディスク装置２は、図２（Ａ）に示すように、動作状態や再生時間等を表示するための液晶ディスプレイでなる表示部１０が正面２Ａに設けられると共に、クレイドル３に装着された際に当該クレイドル３と電気的に接続するためのクレイドル接続コネクタ１２が下側面に設けられている。
【００２２】
また携帯型ディスク装置２は、リモートコントローラ（以下リモコンと呼ぶ）機能を有する専用ヘッドホン１５を接続するための専用ヘッドホン接続端子１１が右側面の下側に設けられ、さらに右側面の上側に音量レベルを調整させるための音量ボタン１３が設けられている。
【００２３】
携帯型ディスク装置２は、専用ヘッドホン接続端子１１に専用ヘッドホン１５のコネクタ１５Ａが接続されると、リモコン部１５Ｂに設けられた操作ボタン１５Ｃの操作に応じて楽曲の再生等を行い、出力部１５ＤＬ及び１５ＤＲを介してその音声をユーザに聴取させるようになされている。
【００２４】
なお携帯型ディスク装置２は、図１に示したように、クレイドル３の装着部３Ｂに装着された場合に当該装着部３Ｂによって塞がれるような位置に敢えて専用ヘッドホン接続端子１１が設けられている。このため携帯型ディスク装置２は、専用ヘッドホン１５が取り外された状態でなければクレイドル３に装着できないようになされている。
【００２５】
さらに携帯型ディスク装置２は、図２（Ｂ）に示すように、背面２Ｂのほぼ中央部にロック爪係合穴１４が設けられており、クレイドル３に装着された際に当該ロック爪係合穴１４によって当該クレイドル３にロックされ、当該クレイドル３からむやみに取り外されないようになされている（詳しくは後述する）。
【００２６】
（１−２）クレイドルの構成
クレイドル３は、図３（Ａ）に示すように、略直方体状でなる本体部３Ａの正面３Ａ１側に突出した略直方体状の装着部３Ｂが設けられており、本体部３Ａの正面３Ａ１の上方に液晶ディスプレイでなる表示部２１が設けられ、後述する動作モード等を表示するようになされている。
【００２７】
クレイドル３の装着部３Ｂには、上面３Ｂ１の手前側に操作ボタン群２０が設けられると共に、当該上面３Ｂ１の奥側に携帯型ディスク装置２を装着するための装着穴２２が設けられており、当該装着穴２２の内部には、当該携帯型ディスク装置２を支持する支持テーブル２３が当該装着穴２２内を上下方向へ移動可能に設けられ、当該携帯型ディスク装置２が装着されていない状態では、内蔵するばねの付勢力によって当該支持テーブル２３が上方向へ付勢されるようになされている。
【００２８】
装着穴２２の内部には、携帯型ディスク装置２のクレイドル接続コネクタ１２（図２（Ａ））と対応する位置に接続コネクタ２４が設けられている。クレイドル３は、携帯型ディスク装置２が挿入されると、支持テーブル２３が押し下げられて当該携帯型ディスク装置２が装着され、当該接続コネクタ２４に当該クレイドル接続コネクタ１２が接続されることにより、当該携帯型ディスク装置２と電気的に接続するようになされている。
【００２９】
またクレイドル３の本体部３Ａには、正面３Ａ１のほぼ中央位置において、内蔵するばねの付勢力によって突出した状態に付勢されたロック爪２５が設けられている。
【００３０】
クレイドル３は、携帯型ディスク装置２が装着穴２２に挿入された際に携帯型ディスク装置２の背面２Ｂによってロック爪２５が一時的に押下された後、当該携帯型ディスク装置２が装着位置まで挿入されたときに当該ロック爪２５と当該携帯型ディスク装置２のロック爪係合穴１４（図２（Ｂ））とが係合され、当該携帯型ディスク装置２を上方向へ移動させないように、すなわちクレイドル３に対する当該携帯型ディスク装置２の装着状態を保持するようになされている。
【００３１】
さらに装着部３Ｂの正面３Ｂ２には、携帯型ディスク装置２をクレイドル３との装着状態から取り外すためのリリースレバー２６が設けられている。クレイドル３は、ユーザによって当該リリースレバー２６が下方向へ押し下げられると、まずロック爪２５を正面内部へ一時的に引き下げることにより携帯型ディスク装置２のロック爪係合穴１４（図２（Ｂ））との係合状態を解除する。
【００３２】
続いてクレイドル３は、支持テーブル２３を上方向へ押し上げることにより携帯型ディスク装置２を持ち上げて接続コネクタ２４とクレイドル接続コネクタ１２とを電気的に切断し、当該携帯型ディスク装置２をクレイドル３から切り離して装着状態から非装着状態へ遷移させるようになされている。
【００３３】
また図３（Ｂ）に示すように、クレイドル３の本体部３Ａの背面３Ａ２には、専用ヘッドホン１５（図２（Ａ））を接続するための専用ヘッドホン接続端子２７、ＵＳＢ（Universal Serial Bus）ケーブル（図示せず）によってパーソナルコンピュータ（図示せず）と接続するためのＵＳＢ接続端子２８、外部のヘッドホン（図示せず）を接続するためのヘッドホン接続端子２９、及びスピーカ４Ｌ及び４Ｒを接続するためのスピーカ接続端子３０が設けられている。
【００３４】
ちなみにクレイドル３は、ヘッドホン接続端子２９に外部のヘッドホン（図示せず）が接続されている場合、スピーカ４Ｌ及び４Ｒから音声を出力するのではなく当該ヘッドホンから当該音声を出力するようになされている。
【００３５】
（２）携帯型ディスク装置の回路構成
次に、携帯型ディスク装置２の回路構成について説明する。図４に示すように、携帯型ディスク装置２はＣＰＵ（Central Processing Unit）構成でなる制御部５０によって全体を統括制御するようになされている。
【００３６】
制御部５０は、接続検出ラインＤＥＴの電位を常時監視しており、当該接続検出ラインＤＥＴの電位が所定の閾値ＴＨ（ただし０＜閾値ＴＨ＜電源Ｖｃｃ）以上であるか否か、すなわち電位が高い「Ｈ（High）」レベル又は電位が低い「Ｌ（Low）」レベルのいずれであるかを判定するようになされている。
【００３７】
この接続検出ラインＤＥＴは、プルアップ抵抗５６を介して電源Ｖｃｃに接続され、さらにクレイドル接続コネクタ１２と接続されているが、携帯型ディスク装置２がクレイドル３に装着されていない場合、当該クレイドル接続コネクタ１２側でクレイドル３の接続コネクタ２４に接続されず開放されているため、電源Ｖｃｃとほぼ同電位となる。
【００３８】
このため制御部５０は、接続検出ラインＤＥＴの電位が閾値ＴＨよりも高い「Ｈ」レベルであると判定し、これによりクレイドル接続コネクタ１２がクレイドル３の接続コネクタ２４に接続されていないこと、すなわち携帯型ディスク装置２がクレイドル３に装着されていない「非装着状態」であることを検出するようになされている。
【００３９】
制御部５０は、この非装着状態において専用ヘッドホン接続端子１１に専用ヘッドホン１５（図２（Ａ））が接続されることを前提としており、当該専用ヘッドホン接続端子１１のリモコン端子部１１Ｂを介して、専用ヘッドホン１５の操作ボタン１５Ｃによる楽曲の再生や音量レベル調整等の操作指示を受け付け、また音量ボタン１３による音量レベル調整等の操作指示を受け付ける。
【００４０】
制御部５０は、専用ヘッドホン１５から音声を出力する際の音量レベルを表す第１音量レベル及びユーザ音量レベルとしてのヘッドホン音量値ＶＨを不揮発性メモリでなる記憶部５１に記憶させており、専用ヘッドホン１５の操作ボタン１５Ｃや音量ボタン１３等を介して音量レベルを調整する操作指示を受け付けると、当該操作指示に応じて当該ヘッドホン音量値ＶＨを変更し、変更後の当該ヘッドホン音量値ＶＨを保持するようになされている。
【００４１】
また制御部５０は、ユーザにより専用ヘッドホン１５の操作ボタン１５Ｃを介して楽曲の再生指示を受け付けると、ディスクドライブ５２を制御することにより当該ディスクドライブ５２に装填されたディスクカートリッジ（図示せず）から楽曲データＤ１を読み出させ、これをＤＳＰ（Digital Signal Processor）５３へ送出させる。
【００４２】
ＤＳＰ５３は、楽曲データＤ１に対して所定の復号化処理等を施すことによりディジタル音声データＤ２に復号し、さらに制御部５０の制御により記憶部５１に記憶しているヘッドホン音量値ＶＨに基づいた音量レベルに調整してＤＡＣ（Digital Analog Converter）５４へ送出する。
【００４３】
ＤＡＣ５４はディジタル音声データＤ２をアナログ音声信号Ａ３に変換し、これをアンプ５５へ送出する。アンプ５５は、アナログ音声信号Ａ３を一定の増幅率で増幅することにより、当該アナログ音声信号Ａ３の電圧を最大で約４００［ｍＶ］程度のいわゆるヘッドホン出力レベルに合わせ、これを専用ヘッドホン接続端子１１のヘッドホン端子部１１Ａへ送出する。
【００４４】
これにより携帯型ディスク装置２は、この非装着状態において、専用ヘッドホン接続端子１１に接続された専用ヘッドホン１５の出力部１５ＤＬ及び１５ＤＲ（図２（Ａ））を介して、ヘッドホン音量値ＶＨに応じた、すなわちユーザの好みに合わせた音量レベルの音声を当該ユーザに聴取させることができる。
【００４５】
ところで携帯型ディスク装置２は、ユーザによりクレイドル３に装着された場合、クレイドル接続コネクタ１２をクレイドル３の接続コネクタ２４と接続させることになる。このとき接続検出ラインＤＥＴは、クレイドル接続コネクタ１２及び接続コネクタ２４を介して接地されるため、電位がほぼ０［Ｖ］となる。
【００４６】
これに応じて制御部５０は、接続検出ラインＤＥＴの電位が閾値ＴＨ（０＜閾値ＴＨ＜電源Ｖｃｃ）よりも低い「Ｌ」レベルであると判定し、その結果クレイドル接続コネクタ１２とクレイドル３の接続コネクタ２４とが接続されたこと、すなわち携帯型ディスク装置２がクレイドル３に装着された「装着状態」であることを検出するようになされている。
【００４７】
この装着状態において制御部５０は、ＤＳＰ５３を制御することにより、ディジタル音声データＤ２を所定のライン音量値ＶＬに基づいた音量レベルに切り換えるようになされている。ちなみにライン音量値ＶＬはアナログ音声信号Ｓ３をクレイドル３へ出力する際の音量レベルを表す固定的な値であり、変更可能なヘッドホン音量値ＶＨの最大値よりも大きい音量レベルを表している。
【００４８】
この結果、携帯型ディスク装置２は、ＤＡＣ５４及びアンプ５５を介して出力するアナログ音声信号Ａ３の電圧を約１［Ｖ］程度のいわゆるライン出力レベルに合わせ、クレイドル接続コネクタ１２及び接続コネクタ２４を介して当該アナログ音声信号Ａ３をクレイドル３へ送出する。
【００４９】
ちなみに携帯型ディスク装置２は、上述したように装着状態では専用ヘッドホン接続端子１１がクレイドル３によって塞がれるため、専用ヘッドホン１５が接続されることはなく、ライン出力レベルのアナログ音声信号Ａ３を誤って専用ヘッドホン接続端子１１のヘッドホン端子部１１Ａから専用ヘッドホン１５（図２（Ａ））の出力部１５ＤＬ及び１５ＤＲへ送出することを制限するように考慮されている。
【００５０】
また携帯型ディスク装置２は、この装着状態では音量ボタン１３による入力操作を無効としており、これによりユーザに誤ってヘッドホン音量値ＶＨを変更させないようになされている。
【００５１】
（３）クレイドルの回路構成
クレイドル３は、図４に示したように、ＣＰＵ構成でなる制御部６０によって全体を統括制御するようになされている。制御部６０は、スピーカ４Ｌ及び４Ｒから出力する音声の音量レベルを表す第２音量レベルとしてのスピーカ音量値ＶＳを不揮発性メモリでなる記憶部６１に記憶させており、操作ボタン群２０に設けられた音量調整ボタンが操作されると、その指示内容に応じて当該スピーカ音量値ＶＳを変更し、変更後の当該スピーカ音量値ＶＳを記憶部６１に保持させる。
【００５２】
またクレイドル３は、携帯型ディスク装置２によって再生した音声をスピーカ４Ｌ及び４Ｒから出力させる「ＭＤモード」、パーソナルコンピュータ（図示せず）の外付けスピーカとして動作する「ＵＳＢスピーカモード」、及びパーソナルコンピュータから送出された楽曲データを携帯型ディスク装置２に装填したディスクカートリッジに記録させる「Ｎｅｔ  ＭＤ（登録商標）モード」の３つの動作モードを有しており、操作ボタン群２０を介してユーザに各動作モードを切り換えさせるようになされている。
【００５３】
（３−１）ＭＤモード
制御部６０は、操作ボタン群２０を介して「ＭＤモード」に切り換えられた場合、まず表示部２１に「ＭＤ」と表示させることにより、クレイドル３が「ＭＤモード」で動作していることをユーザに認識させる。
【００５４】
制御部６０は、この「ＭＤモード」において、クレイドル３に携帯型ディスク装置２が装着されていることを前提としており、クレイドル３の操作ボタン群２０に設けられた携帯型ディスク装置２を操作するための「再生」ボタン等が操作された場合、その操作指示に応じた信号を接続コネクタ２４を介して携帯型ディスク装置２へ送出することにより、当該携帯型ディスク装置２に楽曲の再生等を行わせる。
【００５５】
このとき携帯型ディスク装置２は、接続検出ラインＤＥＴの電位に基づいてクレイドル３に装着された装着状態であることを検出しており、クレイドル接続コネクタ１２を介してライン出力レベルのアナログ音声信号Ａ３をクレイドル３へ送出する。
【００５６】
制御部６０は、切換器６２をａ側に切り換えさせることにより、接続コネクタ２４を介して携帯型ディスク装置２から取得したアナログ音声信号Ａ３を可変抵抗６３へ供給する。
【００５７】
さらに制御部６０は、記憶部６１に記憶しているスピーカ音量値ＶＳに基づいて可変抵抗６３を制御することによりアナログ音声信号Ａ３を当該スピーカ音量値ＶＳに基づいた音量レベルに調整し、これをアンプ６４へ送出する。アンプ６４はアナログ音声信号Ａ３を一定の増幅率で増幅し、これをスピーカ接続端子３０を介してスピーカ４Ｌ及び４Ｒへ送出することにより、当該スピーカ４Ｌ及び４Ｒからスピーカ音量値ＶＳに応じた音量レベルの音声を出力させる。
【００５８】
このようにクレイドル３の制御部６０は、「ＭＤモード」において、携帯型ディスク装置２からライン出力レベルのアナログ音声信号Ａ３を取得し、スピーカ音量値ＶＳに応じた音量レベルの音声をスピーカ４Ｌ及び４Ｒから出力させるようになされている。
【００５９】
なお制御部６０は、専用ヘッドホン接続端子２７（図３（Ｂ））に専用ヘッドホン１５（図２（Ａ））が接続された場合、当該専用ヘッドホン１５の操作ボタン１５Ｃによる操作を受け付けるものの出力部１５ＤＬ及び１５ＤＲから音声を出力することはなく、当該操作ボタン１５Ｃのみを機能させるようになされている。
【００６０】
また制御部６０は、ヘッドホン接続端子２９（図３（Ｂ））に外部のヘッドホン（図示せず）が接続された場合、スピーカ４Ｌ及び４Ｒからではなく当該ヘッドホンから音声を出力するようになされている。
【００６１】
（３−２）ＵＳＢスピーカモード
制御部６０は、操作ボタン群２０を介して「ＵＳＢスピーカモード」に切り換えられた場合、まず表示部２１に「ＵＳＢ  ＳＰ」と表示させることにより、クレイドル３が「ＵＳＢスピーカモード」で動作していることをユーザに認識させる。
【００６２】
クレイドル３は、この「ＵＳＢスピーカモード」において、ＵＳＢ接続端子２８を介してＵＳＢケーブル（図示せず）によってパーソナルコンピュータ（図示せず）と接続されることを前提としており、当該ＵＳＢケーブルを介して当該パーソナルコンピュータから送出されるディジタル音声信号Ｄ５を取得する。
【００６３】
クレイドル３の制御部６０は、ＵＳＢ接続端子２８を介してパーソナルコンピュータから取得したディジタル音声データＤ５を、ＵＳＢ処理部６５によってライン出力レベルのアナログ音声信号Ａ６に変換させて、これを切換器６２へ供給させる。
【００６４】
さらに制御部６０は、切換器６２をｂ側に切り換えさせることにより、アナログ音声信号Ａ６を可変抵抗６３へ供給させ、上述した「ＭＤモード」と同様に、記憶部６１に記憶しているスピーカ音量値ＶＳに基づいて可変抵抗６３を制御することによりアナログ音声信号Ａ６を当該スピーカ音量値ＶＳに基づいた音量レベルに調整し、これをアンプ６４へ送出する。
【００６５】
アンプ６４はアナログ音声信号Ａ６を一定の増幅率で増幅し、これをスピーカ接続端子３０を介してスピーカ４Ｌ及び４Ｒへ送出することにより、当該スピーカ４Ｌ及び４Ｒからスピーカ音量値ＶＳに応じた音量レベルの音声を出力させる。
【００６６】
このようにクレイドル３は、ＵＳＢスピーカモードにおいて、スピーカ４Ｌ及び４Ｒとの組み合わせによりパーソナルコンピュータの外付けスピーカとして動作するようになされている。
【００６７】
（３−３）Ｎｅｔ  ＭＤ（登録商標）モード
制御部６０は、操作ボタン群２０を介して「Ｎｅｔ  ＭＤ（登録商標）モード」に切り換えられた場合、まず表示部２１に「Ｎｅｔ  ＭＤ」と表示させることにより、クレイドル３が「Ｎｅｔ  ＭＤ（登録商標）モード」で動作していることをユーザに認識させる。
【００６８】
クレイドル３は、この「Ｎｅｔ  ＭＤ（登録商標）モード」においても、「ＵＳＢスピーカモード」と同様に、ＵＳＢ接続端子２８を介してＵＳＢケーブル（図示せず）によってパーソナルコンピュータ（図示せず）と接続されることを前提としている。
【００６９】
このパーソナルコンピュータにおいては、所定のＮｅｔ  ＭＤ（登録商標）プログラムが実行され、ユーザの操作に応じて当該パーソナルコンピュータの記憶媒体（例えばハードディスクドライブ等）に記憶している楽曲データをＮｅｔ  ＭＤ（登録商標）に応じた形式の楽曲データＤ７に変換し、ＵＳＢケーブルを介して当該楽曲データＤ７をクレイドル３へ送出するようになされている。
【００７０】
クレイドル３の制御部６０は、パーソナルコンピュータから送出された楽曲データＤ７をＵＳＢ接続端子２８及びＵＳＢ処理部６５を介して取得すると、接続コネクタ２４を介して当該楽曲データＤ７を携帯型ディスク装置２へ送出する。これに応じて携帯型ディスク装置２は、装填されているディスクカートリッジに当該楽曲データＤ７を記録させるようになされている。
【００７１】
（４）携帯型ディスク装置の出力レベル切換処理
ところで携帯型ディスク装置２は、上述したようにクレイドル３に対する装着状態又は非装着状態に応じてアナログ音声信号Ａ３の出力レベルを切り換えるようになされており、このときの出力レベル切換処理手順について、図５のフローチャートを用いて説明する。
【００７２】
携帯型ディスク装置２の制御部５０は、電源が投入されると出力レベル切換処理手順ＲＴ１を開始してステップＳＰ１へ移る。ステップＳＰ１において制御部５０は、接続検出ラインＤＥＴ（図４）の電位を閾値ＴＨと比較して、次のステップＳＰ２へ移る。
【００７３】
ステップＳＰ２において制御部５０は、接続検出ラインＤＥＴの電位が閾値ＴＨよりも低いか否か、すなわち当該接続検出ラインＤＥＴの電位が「Ｌ」レベルであるか否かを判定する。ここで肯定結果が得られると、制御部５０は携帯型ディスク装置２が装着状態であることを検出し、クレイドル３に接続されたスピーカ４から適切な音量レベルの音声を出力させるべく、次のステップＳＰ３へ移る。
【００７４】
ステップＳＰ３において制御部５０は、ＤＳＰ５３（図４）によりディジタル音声データＤ２をライン音量値ＶＬに基づいた音量レベルに切り換えさせることにより、ＤＡＣ５４及びアンプ５５を介して出力するアナログ音声信号Ａ３の音量レベルをライン出力レベルに合わせ、クレイドル接続コネクタ１２を介して当該アナログ音声信号Ａ３をクレイドル３へ送出する。
【００７５】
これに応じてクレイドル３は、ライン出力レベルのアナログ音声信号Ａ３をスピーカ音量値ＶＳに応じた音量レベルに調整することにより、ユーザの好みに合わせた適切な音量レベルの音声をスピーカ４Ｌ及び４Ｒ（図４）から出力させる。
【００７６】
その後制御部５０は、再度ステップＳＰ１へ戻り、携帯型ディスク装置２の電源が切断されるまで一連の処理を繰り返す。
【００７７】
一方ステップＳＰ２において否定結果が得られると、このことは接続検出ラインＤＥＴの電位が「Ｈ」レベルであることを表しており、このとき制御部５０は携帯型ディスク装置２が非装着状態であることを検出し、専用ヘッドホン１５の出力部１５ＤＬ及び１５ＤＲ（図２（Ａ））から適切な音量レベルの音声を出力させるべく、次のステップＳＰ４へ移る。
【００７８】
ステップＳＰ４において制御部５０は、ＤＳＰ５３（図４）によりディジタル音声データＤ２の音量レベルを記憶部５１に記憶しているヘッドホン音量値ＶＨに基づいた音量レベルに切り換えさせることにより、ＤＡＣ５４及びアンプ５５を介して出力するアナログ音声信号Ａ３の音量レベルをヘッドホン出力レベルに合わせて、当該アナログ音声信号Ａ３を専用ヘッドホン接続端子１１のヘッドホン端子部１１Ａへ送出する。
【００７９】
これにより携帯型ディスク装置２は、この非装着状態において、専用ヘッドホン接続端子１１に接続された専用ヘッドホン１５の出力部１５ＤＬ及び１５ＤＲ（図２（Ａ））を介して、ヘッドホン音量値ＶＨに応じた、すなわち専用ヘッドホン１５の操作部１５Ｃ（図２（Ａ））又は音量ボタン１３の操作によってユーザの好みに合わせられた音量レベルの音声をユーザに聴取させることができる。
【００８０】
その後制御部５０は、再度ステップＳＰ１へ戻り、携帯型ディスク装置２の電源が切断されるまで一連の処理を繰り返す。
【００８１】
（５）動作及び効果
以上の構成において、携帯型ディスク装置２は、ユーザによって携帯型ディスク装置２がクレイドル３に装着された場合（図１）、接続検出ラインＤＥＴ（図４）の電位が「Ｌ」レベルであると判定して当該携帯型ディスク装置２が装着状態であることを検出し、ＤＳＰ５３によりディジタル音声データＤ２の音量レベルをヘッドホン音量値ＶＨに基づいた音量レベルからライン音量値ＶＬに基づいた音量レベルに切り換えさせ、ライン出力レベルに合わせたアナログ音声信号Ａ３をクレイドル接続コネクタ１２を介してクレイドル３へ送出する。
【００８２】
従って携帯型ディスク装置２は、ユーザによってクレイドル３に装着されるだけで、当該ユーザに音量レベルの調整操作をさせることなく、アナログ音声信号Ａ３の音量レベルを自動的にライン出力レベルに合わせてクレイドル３へ送出することができる。
【００８３】
このとき携帯型ディスク装置２は、クレイドル３への装着前の音量レベル（すなわちヘッドホン音量値ＶＨ）に関わらずアナログ音声信号Ａ３の音量レベルをライン出力値ＶＬに基づいた固定的なライン出力レベルに切り換えることにより、常に一定の音量レベルのアナログ音声信号Ａ３をクレイドル３へ送出することができる。
【００８４】
これに応じてクレイドル３は、アナログ音声信号Ａ３のライン出力レベルを、操作ボタン群２０（図１）の操作によってユーザに調整され記憶部６１に記憶しているスピーカ音量値ＶＳに応じた音量レベルに変更し、その音声をスピーカ４Ｌ及び４Ｒから出力させる。
【００８５】
このためクレイドル３は、携帯型ディスク装置２が装着されるだけで、当該携帯型ディスク装置２が記憶しているヘッドホン音量値ＶＨに関わらず、前回ユーザの好みに合わせて調整され当該クレイドル３が記憶しているスピーカ音量値ＶＳに基づいた音量レベルを再現してスピーカ４Ｌ及び４Ｒから音声を出力することができ、当該ユーザに当該携帯型ディスク装置２を装着させる度に音量レベルを調整させる必要がない。
【００８６】
さらに携帯型ディスク装置２は、クレイドル３に装着された装着状態では専用ヘッドホン接続端子１１が当該クレイドル３によって塞がれることにより（図１）、専用ヘッドホン１５が誤って接続されることを予め防止するようになされているので、クレイドル３へ送出すべきライン出力レベルのアナログ音声信号Ａ３を誤って専用ヘッドホン１５の出力部１５ＤＬ及び１５ＤＲへ送出しないように制限でき、音量レベルが大きすぎる音声をユーザに聴取させることがない。
【００８７】
一方携帯型ディスク装置２は、ユーザによってクレイドル３から取り外された場合（図２（Ａ））、接続検出ラインＤＥＴ（図４）の電位が「Ｈ」レベルであると判定して当該携帯型ディスク装置２が非装着状態であることを検出し、ＤＳＰ５３によりディジタル音声データＤ２の音量レベルをライン音量値ＶＬに基づいた音量レベルからヘッドホン音量値ＶＨに基づいた音量レベルに切り換えさせ、ヘッドホン出力レベルに合わせたアナログ音声信号Ａ３を専用ヘッドホン接続端子１１のヘッドホン端子部１１Ａから専用ヘッドホン１５の出力部１５ＤＬ及び１５ＤＲへ送出する。
【００８８】
従って携帯型ディスク装置２は、ユーザによってクレイドル３から取り外されるだけで、当該ユーザに音量レベルの調整操作をさせることなく、アナログ音声信号Ａ３の音量レベルを自動的にヘッドホン出力レベルに合わせて専用ヘッドホン１５の出力部１５ＤＬ及び１５ＤＲへ送出することができるので、当該ユーザにヘッドホン音量値ＶＨに基づいた音量レベルの音声を聴取させることができる。
【００８９】
このとき携帯型ディスク装置２は、クレイドル３においてスピーカ４Ｌ及び４Ｒから出力する際の音量レベル（すなわちスピーカ音量値ＶＳ）に関わらず、アナログ音声信号Ａ３をヘッドホン音量値ＶＨに応じた音量レベル、すなわちヘッドホン出力レベルに切り換えることができる。
【００９０】
さらに携帯型ディスク装置２は、ヘッドホン音量値ＶＨを記憶部５１によって記憶させているので、クレイドル３から取り外されるだけで、前回ユーザに調整されたときの音量レベルを再現して専用ヘッドホン１５の出力部１５ＤＬ及び１５ＤＲから当該ユーザの好みに合った音量レベルの音声を聴取させることができ、当該ユーザに当該携帯型ディスク装置２をクレイドル３から取り外させる度に音量レベルを調整させる必要がない。
【００９１】
そのうえ携帯型ディスク装置２は、当該携帯型ディスク装置２とクレイドル３との装着状態又は非装着状態を検出するための接続検出ラインＤＥＴを、プルアップ抵抗５６を介して電源Ｖｃｃに接続するといった簡易な構成によって実現することができるので、当該携帯型ディスク装置２をほとんど大型化・重量化することがなく、携帯性を損なうことがない。
【００９２】
以上の構成によれば、携帯型ディスク装置２は、接続検出ラインＤＥＴの電位を閾値ＴＨと比較して当該携帯型ディスク装置２が装着状態又は非装着状態のいずれであるかを検出し、装着状態である場合には、ライン音量値ＶＬに基づきライン出力レベルに合わせたアナログ音声信号Ａ３をクレイドル３へ送出することにより、当該クレイドル３に装着された使用状況に適したユーザ好みの音量レベルの音声をスピーカ４Ｌ及び４Ｒから当該ユーザに聴取させ、非装着状態である場合には、ヘッドホン音量値ＶＨに基づきヘッドホン出力レベルに合わせたアナログ音声信号Ａ３を専用ヘッドホン１５へ送出することにより、クレイドル３から取り外された使用状況に適したユーザ好みの音量レベルの音声を当該専用ヘッドホン１５の出力部１５ＤＬ及び１５ＤＲから当該ユーザに聴取させることができる。
【００９３】
（６）他の実施の形態
なお上述の実施の形態においては、制御部５０の制御に基づいてＤＳＰ５３により音量レベルを調整するようにした場合について述べたが、本発明はこれに限らず、ＤＡＣ５４や他の種々の回路により音量レベルを調整するようにしても良い。
【００９４】
また上述の実施の形態においては、携帯型ディスク装置２が装着状態において固定的なライン音量値ＶＬに応じたライン出力レベルのアナログ音声信号Ａ３をクレイドル３へ送出するようにした場合について述べたが、本発明はこれに限らず、例えばスピーカ音量値ＶＳを携帯型ディスク装置２が記憶するようにし、装着状態において当該スピーカ音量値ＶＳに応じたライン出力レベルのアナログ音声信号Ａ３をクレイドル３へ送出するようにして、当該クレイドル３において音量調整を行わないようにしても良い。
【００９５】
さらに上述の実施の形態においては、接続検出ラインＤＥＴの電位が、非装着状態において電源Ｖｃｃとほぼ同電位となり、装着状態においてほぼ接地電位となるようにした場合について述べたが、本発明はこれに限らず、例えば当該接続検出ラインＤＥＴの電位が非装着状態において閾値ＴＨよりも高い任意の電位となるようにし、装着状態において閾値ＴＨよりも低い任意の電位となるようにしても良い。
【００９６】
さらに上述の実施の形態においては、接続検出ラインＤＥＴの電位が「Ｈ」レベルであれば非装着状態であり、「Ｌ」レベルであれば装着状態であると検出するようにした場合について述べたが、本発明はこれに限らず、例えば接続検出ラインＤＥＴを所定の接地抵抗を介して接地させ、クレイドル３側で電源Ｖｃｃと接続させる等することにより、接続検出ラインＤＥＴの電位が「Ｈ」レベルであれば装着状態、「Ｌ」レベルであれば非装着状態であると検出するようにしてもよい。
【００９７】
さらに上述の実施の形態においては、接続検出ラインＤＥＴの電位に基づいてクレイドル３に対する携帯型ディスク装置２の装着状態又は非装着状態を検出するようにした場合について述べたが、本発明はこれに限らず、例えばプッシュ式スイッチを用いる等、他の種々の方法によって装着状態又は非装着状態を検出するようにしても良い。
【００９８】
さらに上述の実施の形態においては、装着状態においてクレイドル３によって専用ヘッドホン接続端子１１が塞がれることにより携帯型ディスク装置２に専用ヘッドホン１５を接続させず、ライン出力レベルのアナログ音声信号Ａ３を専用ヘッドホン１５の出力部１５ＤＬ及び１５ＤＲから出力させないように制限する場合について述べたが、本発明はこれに限らず、例えば当該専用ヘッドホン接続端子１１を装着状態においてクレイドル３によって塞がれない位置に設け、所定の切換回路等を用いることにより、装着状態において当該専用ヘッドホン接続端子１１のヘッドホン端子部１１Ａへのアナログ音声信号Ａ３を制限する等してもよい。
【００９９】
さらに上述の実施の形態においては、ミニディスクに対応した携帯型ディスク装置２に本発明を適用するようにした場合について述べたが、これに限らず、携帯型ＣＤ（Compact Disc）プレーヤ、携帯型ハードディスクオーディオプレーヤ、及び携帯型ラジオ受信機等、或いは楽曲を再生する機能を有する携帯電話機や携帯型コンピュータ等のクレイドルに装着可能な種々の電子機器に本発明を適用するようにしても良い。
【０１００】
さらに上述の実施の形態においては、検出手段としての制御部５０、プルアップ抵抗５６及び接続検出ラインＤＥＴと、制御手段としての制御部５０とＤＳＰ５３とによって電子機器としての携帯型ディスク装置２を構成する場合について述べたが、本発明はこれに限らず、その他種々の回路構成でなる検出手段と、制御手段とによって電子機器を構成するようにしても良い。
【産業上の利用可能性】
【０１０１】
本発明は、クレイドルに装着可能な種々の電子機器に利用できる。
【図面の簡単な説明】
【０１０２】
【図１】本発明の携帯型ディスク装置システムの全体構成を示す略線的斜視図である。
【図２】携帯型ディスク装置の構成を示す略線的斜視図である。
【図３】クレイドルの構成を示す略線的斜視図である。
【図４】携帯型ディスク装置システムの回路構成を示すブロック図である。
【図５】出力レベル切換処理手順を示すフローチャートである。
【符号の説明】
【０１０３】
１……携帯型ディスク装置システム、２……携帯型ディスク装置、３……クレイドル、４Ｌ、４Ｒ……スピーカ、１１……専用ヘッドホン接続端子、１１Ａ……ヘッドホン端子部、１２……クレイドル接続コネクタ、１３……音量ボタン、１５……専用ヘッドホン、１５ＤＬ、１５ＤＲ……出力部、２０……操作部、２４……接続コネクタ、５０、６０……制御部、５１、６１……記憶部、５３……ＤＳＰ、５４……ＤＡＣ、５６……プルアップ抵抗、ＤＥＴ……接続検出ライン。
【図１】
2006067484.tif 000003
【図２】
2006067484.tif 000004
【図３】
2006067484.tif 000005
【図４】
2006067484.tif 000006
【図５】
2006067484.tif 000007